(57)【要約】【課題】縦枠に設けられる下端キャップの室内側部からの水漏れを防止できる枠体を提供する。【解決手段】建物開口部に上下枠及び中空状に形成された左右の縦枠１０、１０を方形状に枠組みしてなり、縦枠１０の下端部には下端キャップ４０を設けてなり、下端キャップ４０は縦枠１０の中空部１０ａに端面から挿入される箱状の本体部４１を備え、本体部４１の上面４２は室内側から室外側に向かう下方傾斜状に形成され、縦枠１０は内側側面の下端キャップ４０が挿入された状態における本体部４１の上面位置に水抜き孔１３が形成されてなる。【選択図】図３
2006322143.tif 000002
【特許請求の範囲】
【請求項１】
建物開口部に上下枠及び断面中空状に形成された左右の縦枠を方形状に枠組みしてなり、上記縦枠の下端部には下端キャップを設けてなる枠体において、
上記下端キャップは上記縦枠の中空部に端面から挿入される箱状の本体部を備え、該本体部の上面は室内側から室外側に向かう下方傾斜状に形成され、上記縦枠は内側側面の上記下端キャップが挿入された状態における上記本体部の上面位置に水抜き孔が形成されてなることを特徴とする枠体。
【請求項２】
上記下端キャップの本体部は上面及び室内側面に水密材が面状に設けられてなることを特徴とする請求項１記載の枠体。
【請求項３】
上記下端キャップの本体部は上面に凸部が形成されてなることを特徴とする請求項２記載の枠体。
【請求項４】
上記下端キャップの本体部は室外側面及び両側面の上部に鍔部が形成されてなることを特徴とする請求項１〜３のいずれか１項に記載の枠体。
【請求項５】
上記下端キャップの本体部は上記鍔部の下部に溝部が形成されてなることを特徴とする請求項４記載の枠体。
【請求項６】
上記下端キャップは上記縦枠と下枠を固定するビスにより上記縦枠に固定されてなることを特徴とする請求項１〜５のいずれか１項に記載の枠体。
【発明の詳細な説明】
【技術分野】
【０００１】
本発明は、建物開口部に設けられる枠体に関し、特に中空部を有した縦枠の下端部にキャップを備えて建物躯体内に対する雨水の浸入を防止することのできる枠体に関する。
【背景技術】
【０００２】
建物開口部に設けられる枠体は、上下枠及び左右の縦枠を方形状に枠組みしてなり、各枠は中空状に形成される。また、上下枠の両端面はそれぞれ左右の縦枠の上下端部における内側側面に突き合わされて連結固定される。
【０００３】
この場合において縦枠の下端部には、キャップが取付けられて、縦枠の中空部に対する雨水の浸入を防いでいる。同様に縦枠の上端部にも、キャップが取付けられている。しかし雨水は、縦枠や上枠との継ぎ目や、縦枠と上端部キャップとの隙間、または縦枠に取付けられる錠装置や丁番の取付部の隙間などから、中空部に対して僅かながら浸入する可能性もある。このため、縦枠の下端部に設けられるキャップには、排水孔が設けられていることが多い。このようなキャップを有した枠体としては、例えば特許文献１に挙げるようなものがある。
【特許文献１】特開２００５−８３１７８号公報
【発明の開示】
【発明が解決しようとする課題】
【０００４】
縦枠の中空部に浸入した水は、縦枠下端部のキャップにおいて上述の排水孔だけでなく、キャップと縦枠との隙間からも漏れることがある。この際、キャップの室内側部分から水漏れが生じると、建物の外壁よりも室内側の建物躯体に対して水が浸入することがある。建物躯体に水が浸入すると、腐食やカビなどが生じるため、それを防ぐ必要があった。
【０００５】
本発明は、上記課題を解決すべくなされたものであり、縦枠に設けられる下端キャップの室内側部からの水漏れを防止できる枠体を提供することを目的とする。
【課題を解決するための手段】
【０００６】
上記課題を解決するため、本発明に係る枠体は、建物開口部に上下枠及び断面中空状に形成された左右の縦枠を方形状に枠組みしてなり、上記縦枠の下端部には下端キャップを設けてなる枠体において、
上記下端キャップは上記縦枠の中空部に端面から挿入される箱状の本体部を備え、該本体部の上面は室内側から室外側に向かう下方傾斜状に形成され、上記縦枠は内側側面の上記下端キャップが挿入された状態における上記本体部の上面位置に水抜き孔が形成されてなることを特徴として構成されている。
【０００７】
また、本発明に係る枠体は、上記下端キャップの本体部は上面及び室内側面に水密材が面状に設けられてなることを特徴として構成されている。
【０００８】
さらに、本発明に係る枠体は、上記下端キャップの本体部は上面に凸部が形成されてなることを特徴として構成されている。
【０００９】
さらにまた、本発明に係る枠体は、上記下端キャップの本体部は室外側面及び両側面の上部に鍔部が形成されてなることを特徴として構成されている。
【００１０】
そして、本発明に係る枠体は、上記下端キャップの本体部は上記鍔部の下部に溝部が形成されてなることを特徴として構成されている。
【００１１】
また、本発明に係る枠体は、上記下端キャップは上記縦枠と下枠を固定するビスにより上記縦枠に固定されてなることを特徴として構成されている。
【発明の効果】
【００１２】
本発明に係る枠体によれば、下端キャップの本体部の上面は室内側から室外側に向かう下方傾斜状に形成され、縦枠は内側側面の下端キャップが挿入された状態における本体部の上面位置に水抜き孔が形成されてなることにより、縦枠の中空部内に水が浸入しても、水は下端キャップの室外側に導かれ、水抜き孔から排水させることができるので、下端キャップの室内側から水漏れを生じることがなく、建物躯体内に水を浸入させないようにすることができる。
【００１３】
また、本発明に係る枠体によれば、下端キャップの本体部は上面及び室内側面に水密材が面状に設けられてなることにより、下端キャップの上面の周縁部、特に室内側について水密性を充分に確保することができるので、下端キャップの室内側からの水漏れをより確実に防止することができる。
【００１４】
さらに、本発明に係る枠体によれば、下端キャップの本体部は上面に凸部が形成されてなることにより、水密材の位置決めを容易になすことができる。
【００１５】
さらにまた、本発明に係る枠体によれば、下端キャップの本体部は室外側面及び両側面の上部に鍔部が形成されてなることにより、下端キャップを縦枠の中空部に挿入する際に上面周縁部がたわんで挿入を容易にすることができると共に、鍔部が水密材を縦枠壁面に対して押圧するので、水密性をさらに高めることができる。
【００１６】
そして、本発明に係る枠体によれば、下端キャップの本体部は鍔部の下部に溝部が形成されてなることにより、下端キャップを縦枠の中空部に挿入する際に水密材の周縁端部を溝部に逃がすことができるので、挿入を容易にすることができる。
【００１７】
また、本発明に係る枠体によれば、下端キャップは縦枠と下枠を固定するビスにより縦枠に固定されてなることにより、組立工数を少なくすることができ、また下端キャップを強固に縦枠に対して固定することができる。
【発明を実施するための最良の形態】
【００１８】
本発明の実施形態について、図面に沿って詳細に説明する。本実施形態の枠体１は、建物開口部に設けられるものであって、内部にドア２を納めてなるものである。図１には本実施形態における枠体を有したドアサッシの縦断面図を、図２にはその横断面図を、それぞれ示している。これら各図に示すように本実施形態のドアサッシは、建物躯体の開口部に方形状の枠体１を設け、枠体１内にドア２を開閉自在に納めてなるものである。
【００１９】
枠体１は、左右の縦枠１０、１０と、上枠２０及び下枠３０から構成されている。縦枠１０は、図２に示すように中空状の中空部１０ａを有しており、外側面の外方には外壁３が配置されると共に、外側面の中間位置には建物躯体に対して固定するためのフィン部１１が形成されている。
【００２０】
また、上枠２０にも中空状の中空部２０ａが形成されており、外側面の外方には外壁３が配置されると共に、外側面の中間位置にはフィン部２１が形成されている。さらに、下枠３０にも中空状の中空部３０ａが形成されており、外側面の外方には外壁３が配置されると共に、外側面の中間位置にはフィン部３１が形成されている。フィン部１１、２１、３１はこのように枠体１の略四周に渡って設けられ、枠体１を建物躯体に固定する。
【００２１】
上枠２０と下枠３０は、両端部をそれぞれ縦枠１０内側面の上端部及び下端部に当接させ、ネジ止めによって連結される。図３には、縦枠１０と下枠３０の連結部分の拡大斜視図を示している。この図に示すように、縦枠１０内側面の下端部と下枠３０の端面は、縦枠１０の外側面に形成されたネジ通し部１２を介して挿入されるネジによって固定される。下枠３０には、このネジ固定のためのネジ固定部３２が形成されている。
【００２２】
縦枠１０の下端部には、下端キャップ４０が取付けられる。下端キャップ４０は、箱状の本体部４１が縦枠１０の下端面から中空部１０ａに対して挿入されることで取付けられる。本体部４１の側面には、下端キャップ４０を縦枠１０の中空部１０ａに挿入した際における縦枠１０のネジ通し部１２に対応した位置にネジ通し孔４６が形成されており、縦枠１０と下枠３０を連結するネジを通すことで、下端キャップ４０は縦枠１０に対して強固に固定される。
【００２３】
また、下端キャップ４０の上面及び室内側面には、シール材４７が面状に設けられており、下端キャップ４０を縦枠１０の中空部１０ａに挿入して取付けた際に、中空部１０ａ内の水が下端キャップ４０から漏れることを防止している。特に、下端キャップ４０の室内側面にシール材４７を設けていることで、下端キャップ４０の室内側から水漏れを生じることを防いでいる。
【００２４】
さらに、縦枠１０の内側面には、下端キャップ４０を中空部１０ａに挿入した場合における下端キャップ４０の上面位置に水抜き孔１３が形成されており、縦枠１０の中空部１０ａ内に浸入した水はこの水抜き孔１３から外部に排出される。
【００２５】
図４には、下端キャップ４０の側面図を示している。図４においては、左側が室外側で右側が室内側である。この図に示すように、本体部４１の上面４２には突起状の凸部４２ａ、４２ａが形成されており、シール材４７にもそれらに対応した孔を設けておくことで、シール材４７を下端キャップ４０に対して容易に位置決めして取付けることができる。シール材４７の下面には粘着材が設けられており、これによって下端キャップ４０の上面４２に密着固定することができる。
【００２６】
また、本体部４１の上部には、四周に渡って鍔部４３が形成されており、その下部には溝部４４が形成されている。本体部４１上部に鍔部４３を形成したことにより、下端キャップ４０を縦枠１０の中空部１０ａに挿入した際に、鍔部４３をたわませることができ、これによって下端キャップ４０の挿入を容易にすることができる。さらに、その際においてシール材４７の周縁端部は溝部４４に逃げることができるので、下端キャップ４０の挿入をより容易にすることができる。
【００２７】
そして、本体部４１の上面４２は、室内側から室外側に向かう下方傾斜状の斜面として形成されている。これによって、縦枠１０の中空部１０ａ内に浸入した水は、下端キャップ４０の上面で室外側に導かれ、少なくとも下端キャップ４０の室内側からは水漏れが生じないようにしている。したがって、建物躯体内部に水を浸入させることを防止することができる。
【００２８】
下端キャップ４０の上面４２に溜まった水は、上述のように縦枠１０の内側面に設けられた水抜き孔１３によって排水されるが、傾斜状に形成された本体部４１の上面４２において室外側部から本体部４１の側面を伝って水漏れを生じる可能性がある。本体部４１の室外下端部には、鉛直下方に突出する水切り部４５が形成されており、もしも水漏れが生じた際にこの水切り部４５から下方に排水することができる。
【００２９】
図５には、下端キャップ４０を縦枠１０に取付けた状態の側面図を示している。図５は、縦枠１０を外側面側から見た図となっている。この図に示すように、下端キャップ４０の上面４２は、縦枠１０の中空部１０ａに取付けられた状態で縦枠１０に対して室外側に向かう下方傾斜状に配置される。また、縦枠１０の水抜き孔１３は、下端キャップ４０の上面４２位置であって、縦枠１０の中心線より室外側寄りに配置されている。
【００３０】
シール材４７は、室外側端部付近が本体部４１の鍔部４３によって圧潰状とされると共に、先端部は折り返されて溝部４４に納められた状態となっている。同様に側面端部付近についても、鍔部４３によって圧潰状とされると共に、先端部は溝部４４に納められた状態となる。これによって、水密性をよくすることができると共に、下端キャップ４０の挿入も容易にすることができる。
【００３１】
下端キャップ４０がこのように縦枠１０の中空部１０ａに取付けられることにより、縦枠１０の中空部１０ａに浸入した水は、下端キャップ４０の上面４２において室外側に導かれると共に、縦枠１０の水抜き孔１３から外部に排出される。また、下端キャップ４０の上面４２の周縁部及び室内側面においてシール材４７により水密性が確保される。
【００３２】
以上、本発明の実施形態について説明したが、本発明の適用は本実施形態には限られず、その技術的思想の範囲内において様々に適用されうるものである。
【図面の簡単な説明】
【００３３】
【図１】本実施形態における枠体を有したドアサッシの縦断面図である。
【図２】本実施形態における枠体を有したドアサッシの横断面図である。
【図３】縦枠と下枠の連結部分の拡大斜視図である。
【図４】下端キャップの側面図である。
【図５】下端キャップを縦枠に取付けた状態の側面図である。
【符号の説明】
【００３４】
１    枠体
２    ドア
３    外壁
１０    縦枠
１０ａ  中空部
１３    排水孔
２０    上枠
３０    下枠
４０    下端キャップ
４１    本体部
４２    上面
４２ａ  凸部
４３    鍔部
４４    溝部
４５    水切り部
４６    ネジ通し孔
４７    シール材
【図１】
2006322143.tif 000003
【図２】
2006322143.tif 000004
【図３】
2006322143.tif 000005
【図４】
2006322143.tif 000006
【図５】
2006322143.tif 000007